(57)【要約】【課題】調味用、飲用や化粧品用に供する液体の容器において、内容物を消費した後に容器を裏返し引き出すことを可能とする。【解決手段】容器の外部容器は外部からの力を防護するために力に耐える素材と厚みを有し、また、内容器は調味用、飲用や化粧品用に供する液体を保持して、裏返して引き出しを可能とする柔軟且つ弾力性を持つ素材によりなる２重構造の容器とし、内容器は裏返し引き出すため、引き出し用紐状帯紐部を内容器底部中央部と容器の口部の間に設けて、内容物を消化した後に容器口部にある引き出し用紐状帯鍔部を引き出すことにより内容器を裏返して引き出すことが可能な構造とし、布や紙で内容器にこびり付いた残滓を拭き取ることを可能とする裏返し引き出すことができる液体用容器及びその製造法。【選択図】図３
2015117068.tif 000002
【特許請求の範囲】
【請求項１】
調味用、飲用や化粧品用に供する液体の容器に関して、内容品を消費した後、容器の内壁面に付着した内容品を除去し、清掃することができる容器において、容器を外部容器と内容器の２層構造とし、内容器口部に引き出し用紐状帯中央部を挿入し、引き出し用紐状帯中央部を内容器底部内部中央と接合し、引き出し用紐状帯鍔部の内容器口部に接する部分にて半円形状に押しつけられた引き出し用紐状帯鍔部のタグ部分は、平面に戻ろうとする反力を用いて、引き出し用紐状帯と内容器を外部容器口部に押しつけ内容器を保持すると共に、内容品を保持し、内容品を使い切った後では、引き出し用紐状帯鍔部をつまみ、引き出すことを可能として裏返し引き出すことができる液体用容器。
【請求項２】
請求項１の裏返し引き出すことができる液体用容器には、引き出し用紐状帯鍔部のタグ部分のずれや緩みを回避する蓋とキャップをかぶせ、さらに漏れを防ぐための漏れ防止テープを蓋と外部容器の境目に巻いた裏返し引き出すことができる液体用容器。
【請求項３】
請求項１の裏返し引き出すことができる液体の容器に用いる引き出し用紐状帯の引き出し用紐状帯鍔部のタグ部分を半円形状にするために力を加えて、半円形状になるように力を加え保持するタグ部分保持器と、引き出し用紐状帯の中央部に接着用介在物を接合する内側スライダーと、タグ部分保持器と内側スライダーとの間に設けた外側保持管体にて内容器を外部容器に装填し、さらに引き出し用紐状帯を内容器内部中央と外部容器との間に引き出し用紐状帯を設定するタグ部分保持器、外側保持管体及び内側スライダーからなる２重筒状押し込み治具を用いて請求項１の裏返し引き出すことができる液体の容器を組み立てる裏返し引き出すことができる液体用容器の製造方法。
【発明の詳細な説明】
【技術分野】
【０００１】  調味用、飲用や化粧品用に供する液体の容器に関し、使用後、内容器を裏返ししながら取り出すことができる容器に関する。
【背景技術】
【０００２】  従来特許文献１や特許文献２のように容器に下半分を上半分に押し込むことが可能な構造として、容器内の内容物を押し出す容器は公開されている。また、特許文献３のように容器を２層構造として内容器を取り出し内容物を押し出す容器は公開されているが、内容器の引き出しと裏返しを一連操作で行う技術はまだない。
【先行技術文献】
【特許文献】
【０００３】
【特許文献１】実用新案公報  実開昭５０−１４３９４５
【特許文献２】公開特許公報  特開２００６−２０６１７７
【特許文献３】公開特許公報  特開２００４−１８１１３
【発明の概要】
【発明が解決しようとする課題】
【０００４】  従来特許文献１や特許文献２のように容器に下半分を上半分に押し込むことが可能な構造として、容器内の内容物を押し出す容器は公開され、また、特許文献３のように２層構造の容器として内容器を取り出すことが可能な構造は公開されている。【０００５】  しかし、容器を取り出した後、容器内壁や内容器の内壁に付着した内容物の残滓の処理は、水洗することが必要になり、この水洗により河川の水資源の汚損につながる結果となる。
【課題を解決するための手段】
【０００６】  容器の内側に付着した残滓を取り除くのには、水洗による方法のほか、残留分が少なくなるようにヘラなどで内容物を取り除いたうえで、紙や布で拭き取る方法があり、この拭き取り方法を可能とするためには、内容器を裏返して取り出せる構造が必要となり、そのためには下部から棒状体で押し出す方法があるが、押し出すための棒状体を本体に付属させるには、棒状体の所要長により構造的に制約があり、いざ拭き取り時に棒状体が手元にないことも予想され、拭き取りが行えないことにもなりかねない。【０００７】  容器を裏返して内側に設けている引き出し用紐状帯を効果的に利用するためには，容器の構造を外部からの力や引っ掻きから内容物を保護する外部容器と内容物を入れておくだけで柔らかくて伸縮性を有する内容器からなる２層構造として、しかも内容器は特許文献３のような柔らかく伸縮自在の材質にて作り、その底部中央付近に引き出し用紐状帯を結合しておき、引き出しの便宜を考慮して容器入り口に引き出し用紐状帯鍔部を設けておく。【０００８】  ２層構造の容器での引き出し用紐状帯及び内容器を外部容器に保持する必要があるが、引き出し用紐状帯の引き出し用紐状帯鍔部のタグ部分を丸めて内容器と共に外部容器に挿入する構造とするが、このタグ部分の反力を利用して、引き出し用紐状帯及び内容器を外部容器に押しつけて保持する。【０００９】  引き出し用紐状帯及び内容器を外部容器に挿入するためには、第６図及び第７図に示す構造を有する２重筒状押し込み治具を用いて、引き出し用紐状帯の引き出し用紐状帯鍔部のタグ部分の保持力に抗して半円形に押さえながら、２重筒状押し込み治具のタグ部分保持器に装着し、内側スライダーを押し出し、引き出し用紐状帯の中程に接着用介在物一面を接着し、反対面の糊面を出しておき、さらに引き出し用紐状帯の中程に取り付けた接着用介在物が、内容器の予定部位以外のところに付着しないように、２重筒状押し込み治具内に内側スライダーを元に戻しておき、２重筒状押し込み治具に引き出し用紐状帯を装着したまま、その上に内容器を引き出し用紐状帯鍔部まで被せておく。【００１０】  内容器を被せた２重筒状押し込み治具を内容器表面が引っかからないよう徐々に外部容器の中に挿入して、外側保持管体が、内容器を介して外部容器に接したとき、内部スライダーを押し、接着用介在物の糊面を内容器に押しつけ、引き出し用紐状帯と内容器を接着して、外部容器の口部と引き出し用紐状帯鍔部を抑えながら２重筒状押し込み治具を抜き出し、本発明の裏返して引き出すことができる液体用容器を組み立てる。【００１１】  また、内容品を充填した後において、内容器の収縮力で内容品が漏れ出さないように蓋を外部容器に嵌合させ、漏れを防止するための漏れ防止テープを口部に接着しながら巻き付けておく構造を用いる。
【発明の効果】
【００１２】  調味用、飲用や化粧品用に供する液体の容器に関し、内容品を使い切った後、内容器の内壁面に付着した内容品を内容器に取り付けた引き出し用紐状帯鍔部をつまみ出して、容器の口部を押さえながら内容器を裏返して引き出す構造を用いることにより、内容物の使い切りを徹底することができ、また、内容物の残滓を極度に少なくすることができ、このことによる河川等の水資源の汚損を抑えることができる。
【図面の簡単な説明】
【００１３】
【図１】裏返し引き出すことができる液体用容器正面断面図
【図２】裏返し引き出すことができる液体用容器側部断面図
【図３】裏返し引き出すことができる液体用容器の部分断面及び各部名称説明図
【図４】内容器内に装填した状態の内容器を引き出し用紐状帯断面の上面（ａ）と側面図（ｂ）
【図５】内容器の断面図で内容器と引き出し用紐状帯タグ部分（一部）との関連の説明図
【図６】組み立て治具正面断面図及び操作説明図で接着用介在物取り付け前（ａ）と接着用介在物取り付け後の様子を示す図面
【図７】組み立て治具側面断面図及び操作説明図で接着用介在物取り付け前（ａ）と接着用介在物取り付け後の様子を示す図面
【発明を実施するための形態】
【００１４】  本発明を具現化するためには、図１から図５に示すように外部容器（２）及び内容器（３）による２層構造とし、引き出し用紐状帯（４）の中央部分を内容器（３）の内部中央付近（Ｐ点）に接合し、また、内容器（３）を裏返して引き出すために、内容器（３）の口付近にて、内容器（３）の入り口端部を外部容器（２）の口部分に押しつける引き出し用紐状帯鍔部（２４）につながるタグ部分（８）を指で引き出すことにより行う構造を実現する。
【実施例１】
【００１５】  図１から図５を用いて実施例を説明する。２層構造の容器での内容器（３）及び引き出し用紐状帯（４）を外部容器（２）に保持する必要があるが、引き出し用紐状帯（４）の引き出し用紐状帯鍔部（２４）のタグ部分（８）を丸めて内容器（３）と共に外部容器（２）に挿入する構造とするが、このタグ部分（８）の半円形からの戻り力を利用して、引き出し用紐状帯（４）及び内容器（３）を外部容器に（２）押しつけて保持する。【００１６】  内容器（３）及び引き出し用紐状帯（４）を外部容器（２）に挿入するためには、第６図及び第７図に示す構造を有する２重筒状押し込み治具（３０）を用いて、引き出し用紐状帯（４）の引き出し用紐状帯鍔部（２４）のタグ部分（８）を半円形に押さえながら、２重筒状押し込み治具（３０）のタグ部分保持器（３３）に装着し、内側スライダー（３１）を押し出し、引き出し用紐状帯（４）の中程に接着用介在物（２３）の一面を接着し、反対面の糊面を覆っている覆いを除き、糊面を出しておき、さらに引き出し用紐状帯（４）の中程に取り付けた接着用介在物（２３）が、内容器（３）の予定部位以外のところに付着しないように、２重筒状押し込み治具（３０）内に内側スライダー（３１）を元に引き戻した後、２重筒状押し込み治具（３０）に引き出し用紐状帯（４）を装着したまま、その上に内容器（３）を引き出し用紐状帯鍔部（２４）まで被せておく。【００１７】  内容器（３）を被せた２重筒状押し込み治具（３０）を内容器（３）表面が引っかかないよう徐々に外部容器（２）の中に挿入して、２重筒状押し込み治具（３０）の外側保持管体（３２）の先端が、内容器（３）を介して外部容器（２）に接したとき、内部スライダー（３１）を押し、接着用介在物（２３）の糊面を内容器（２）に押しつけ、内容器（３）と引き出し用紐状帯（４）を接着しておき、外部容器（２）の口部と引き出し用紐状帯鍔部（２４）を抑えながら２重筒状押し込み治具（３０）を抜き出し、本発明の裏返し引き出すことができる液体用容器（１）の容器部分を組み立てる。【００１８】  また、内容品を充填した後において、内容器（３）の収縮力で内容品が漏れ出さないようにキャップ（６）を被せた蓋（５）を外部容器（２）に嵌合させ、漏れを防止するための漏れ防止テープ（７）を口部に接着しながら巻き付けておく構造を用いる。【００１９】  内容物を消費し、使い切った後には、漏れ防止テープ（７）とキャップ（６）を被せた蓋（５）を取り除くと、外部容器（２）の口部内側に、引き出し用紐状帯鍔部（２４）と内容器（３）の口部が見えるので、内容器（３）の口部を抑えながら露出している引き出し用紐状帯鍔部（２４）を引き出すと、引き出し用紐状帯紐部（２２）に連なって内容器（３）が裏返しとなり引き出されて裏返し引き出すことができる液体用容器。
【産業上の利用可能性】
【００２０】  本発明の引き出し用紐状帯（４）と内容器（３）の接合強度を高めることにより、工業用又は業務用の粘性を持つ液状内容品に対しても適用可能で用途を広げることが可能となる。
【符号の説明】
【００２１】１    裏返し引き出すことができる液体用容器
２    外部容器
３    内容器
４    引き出し用紐状帯
５    蓋
６    キャップ
７    漏れ防止テープ
８    タグ部分
２１    蓋ストッパー
２２    引き出し用紐状帯紐部
２３    接着用介在物
２４    引き出し用紐状帯鍔部
３０    ２重筒状押し込み治具
３１    内側スライダー
３２    外側保持管体
３３    タグ部分保持器
３４    スライド矯正器
３５    内側スライダーの引き出し用紐状体溝
３６    外側保持管体の引き出し用紐状体溝
Ｐ    内容器の中央部分において接着用介在物を接合する位置
Ｌ    ２重筒状押し込み治具内側スライダーの操作距離
【図１】
2015117068.tif 000003
【図２】
2015117068.tif 000004
【図３】
2015117068.tif 000005
【図４】
2015117068.tif 000006
【図５】
2015117068.tif 000007
【図６】
2015117068.tif 000008
【図７】
2015117068.tif 000009